(57)【特許請求の範囲】
【請求項１】
入賞した遊技球を遊技盤の裏面へ案内する入賞装置が前記遊技盤に配設されてなる遊技機であって、
前記入賞装置は、
前記遊技盤上を流下する遊技球を一球保持可能な貯留部と、前記遊技盤上を流下する他の遊技球に衝突され得る複数の突起部とを有し、前記他の遊技球の衝突により両方向に所定角度回転可能な回転部材と、
前記回転部材の裏面に配設されており、回転中心となる回転支軸と、
前記回転部材を前記遊技盤に取付けるための取付板と、
前記取付板に配設されており、前記回転支軸を軸支するための通孔が形成された平歯車形状のギアと、
前記回転部材に配設されており、前記ギアの歯と歯との間の溝（以下、歯溝という）に当接し、先端が前記回転部材の回転方向へ撓み得る板形状の板ばねと、
前記取付板に形成されており、前記貯留部に保持されている遊技球を前記遊技盤の裏面へ案内するための開口と、を備え、
前記回転部材は、遊技球が前記突起部に衝突すると、前記貯留部に遊技球を保持した状態で回転し、所定の歯溝に当接していた前記板ばねの先端が前記回転部材の回転方向へ撓むことで歯の頂上部分を越えて隣接する歯溝に移動して止まることによって回転が停止するように構成されており、
前記貯留部に保持されている遊技球を前記開口に誘導し得ることを特徴とする遊技機。
【請求項２】
入賞した遊技球を遊技盤の裏面へ案内する入賞装置が前記遊技盤に配設されてなる遊技機であって、
前記入賞装置は、
前記遊技盤上を流下する遊技球を一球保持可能な貯留部と、前記遊技盤上を流下する他の遊技球に衝突され得る複数の突起部とを有し、前記他の遊技球の衝突により一方向に所定角度回転可能な回転部材と、
前記回転部材の裏面に配設されており、回転中心となる回転支軸と、
前記回転部材を前記遊技盤に取付けるための取付板と、
前記取付板に配設されており、前記回転支軸を軸支するための通孔が形成された平歯車形状のギアと、
前記回転部材に配設されており、前記ギアの歯と歯との間の溝（以下、歯溝という）に当接し、先端が前記回転部材の回転方向へ撓み得る板形状の板ばねと、
前記取付板に形成されており、前記貯留部に保持されている遊技球を前記遊技盤の裏面へ案内するための開口と、を備え、
前記回転部材は、遊技球が前記突起部に衝突すると、前記貯留部に遊技球を保持した状態で回転し、所定の歯溝に当接していた前記板ばねの先端が前記回転部材の回転方向へ撓むことで歯の頂上部分を越えて隣接する歯溝に移動して止まることによって回転が停止するように構成されており、
前記貯留部に保持されている遊技球を前記開口に誘導し得ることを特徴とする遊技機。
【請求項３】
入賞した遊技球を遊技盤の裏面へ案内する入賞装置が前記遊技盤に配設されてなる遊技機であって、
前記入賞装置は、
前記遊技盤上を流下する遊技球を一球保持可能な複数の貯留部と、前記遊技盤上を流下する他の遊技球に衝突され得る複数の突起部とを有し、前記他の遊技球の衝突により両方向に所定角度回転可能な回転部材と、
前記回転部材の裏面に配設されており、回転中心となる回転支軸と、
前記回転部材を前記遊技盤に取付けるための取付板と、
前記取付板に配設されており、前記回転支軸を軸支するための通孔が形成された平歯車形状のギアと、
前記回転部材に配設されており、前記ギアの歯と歯との間の溝（以下、歯溝という）に当接し、先端が前記回転部材の回転方向へ撓み得る板形状の板ばねと、
前記回転中心を通る鉛直線に対して、前記取付板において対称な位置に形成された一対の構成からなり、前記貯留部に保持されている遊技球を前記遊技盤の裏面へ案内するための開口と、を備え、
前記回転部材は、遊技球が前記突起部に衝突すると、前記貯留部に遊技球を保持した状態で回転し、所定の歯溝に当接していた前記板ばねの先端が前記回転部材の回転方向へ撓むことで歯の頂上部分を越えて隣接する歯溝に移動して止まることによって回転が停止するように構成されており、
前記貯留部に保持されている遊技球を前記開口に誘導し得ることを特徴とする遊技機。
【発明の詳細な説明】
【０００１】
【発明の属する技術分野】
本発明は、パチンコ機、アレンジボール、雀球等の遊技機に関し、特に、遊技球を遊技盤の裏面へ案内する入賞装置を遊技盤に配設した遊技機に関するものである。
【０００２】
【従来の技術】
パチンコ機には、第１種くぎを有する普通電動役物及び大入賞口を有する特別電動役物等の入賞装置が遊技盤に配設されている。普通電動役物は、左右対称の可動翼片を備え、通常は直立状態にある両可動翼片がそれぞれの支軸を中心として左右に傾動して開くようになっている。そして、普通電動役物は、普通図柄表示装置が当り停止図柄を表示した場合に両可動翼片を開くようになっている。また、特別電動役物には、大当り遊技状態の発生時に大入賞口を開口する開閉部材が開閉可能に取り付けられている。
【０００３】
【発明が解決しようとする課題】
しかしながら、入賞装置はその構造が規格化されており、上述した構成を長年に渡って採用しているため、遊技球の入賞形態にほとんど変化がない。このため、遊技が単調なものとなり、遊技者に飽きられつつあるという問題がある。
【０００４】
本発明は、上述した課題を解決するためになされたものであり、その目的とするところは、遊技の変化に富んだ面白味のある遊技機を提供することを目的とする。
【０００５】
【課題を解決するための手段、および発明の作用・効果】
上記した目的を達成するため、請求項１の遊技機では、入賞した遊技球を遊技盤の裏面へ案内する入賞装置が前記遊技盤に配設されてなる遊技機であって、前記入賞装置は、前記遊技盤上を流下する遊技球を一球保持可能な貯留部と、前記遊技盤上を流下する他の遊技球に衝突され得る複数の突起部とを有し、前記他の遊技球の衝突により両方向に所定角度回転可能な回転部材と、前記回転部材の裏面に配設されており、回転中心となる回転支軸と、前記回転部材を前記遊技盤に取付けるための取付板と、前記取付板に配設されており、前記回転支軸を軸支するための通孔が形成された平歯車形状のギアと、前記回転部材に配設されており、前記ギアの歯と歯との間の溝（以下、歯溝という）に当接し、先端が前記回転部材の回転方向へ撓み得る板形状の板ばねと、前記取付板に形成されており、前記貯留部に保持されている遊技球を前記遊技盤の裏面へ案内するための開口と、を備え、前記回転部材は、遊技球が前記突起部に衝突すると、前記貯留部に遊技球を保持した状態で回転し、所定の歯溝に当接していた前記板ばねの先端が前記回転部材の回転方向へ撓むことで歯の頂上部分を越えて隣接する歯溝に移動して止まることによって回転が停止するように構成されており、前記貯留部に保持されている遊技球を前記開口に誘導し得ることを技術的特徴とする。
【０００６】
請求項１の発明では、入賞装置は、遊技盤上を流下する遊技球が回転部材に衝突する力を利用して回転部材を回転させ、回転部材に保持されている遊技球を開口へ誘導する。
これにより、遊技者は、回転部材をねらって遊技球を発射しなければならないため、遊技球の入賞は、遊技者の技量や熟練の度合い等に左右されることとなる。このため、変化に富んだ遊技を楽しむことができる。また、従来の入賞装置と比較して、遊技球の入賞形態が異なる構造や変化に富んだ動きが従来の入賞装置を見飽きた遊技者の目に目新しく映るため、遊技者は遊技に新たな興趣を覚えることができる。
【０００８】
請求項１の発明では、入賞装置は、遊技盤上を流下する遊技球が回転部材の突起部に衝突する力を利用して回転部材を両方向に所定角度回転させ、回転部材に保持されている遊技球を開口へ誘導する。
これにより、遊技者は、回転部材の突起部をねらって遊技球を発射しなければならないため、遊技球の入賞は、遊技者の技量や熟練の度合い等に左右されることとなる。このため、変化に富んだ遊技を楽しむことができる。また、従来の入賞装置と比較して、遊技球の入賞形態が異なる構造や変化に富んだ動きが従来の入賞装置を見飽きた遊技者の目に目新しく映るため、遊技者は遊技に新たな興趣を覚えることが可能となる。また、所定角度回転させることで回転部材に保持されている遊技球を開口へ誘導し易くすることができる。
【０００９】
請求項２の遊技機では、入賞した遊技球を遊技盤の裏面へ案内する入賞装置が前記遊技盤に配設されてなる遊技機であって、前記入賞装置は、前記遊技盤上を流下する遊技球を一球保持可能な貯留部と、前記遊技盤上を流下する他の遊技球に衝突され得る複数の突起部とを有し、前記他の遊技球の衝突により一方向に所定角度回転可能な回転部材と、前記回転部材の裏面に配設されており、回転中心となる回転支軸と、前記回転部材を前記遊技盤に取付けるための取付板と、前記取付板に配設されており、前記回転支軸を軸支するための通孔が形成された平歯車形状のギアと、前記回転部材に配設されており、前記ギアの歯と歯との間の溝（以下、歯溝という）に当接し、先端が前記回転部材の回転方向へ撓み得る板形状の板ばねと、前記取付板に形成されており、前記貯留部に保持されている遊技球を前記遊技盤の裏面へ案内するための開口と、を備え、前記回転部材は、遊技球が前記突起部に衝突すると、前記貯留部に遊技球を保持した状態で回転し、所定の歯溝に当接していた前記板ばねの先端が前記回転部材の回転方向へ撓むことで歯の頂上部分を越えて隣接する歯溝に移動して止まることによって回転が停止するように構成されており、前記貯留部に保持されている遊技球を前記開口に誘導し得ることを技術的特徴とする。
【００１０】
請求項２の発明では、入賞装置は、遊技盤上を流下する遊技球が回転部材の突起部に衝突する力を利用して回転部材を一方向に所定角度回転させ、回転部材に保持されている遊技球を開口へ誘導する。
これにより、回転部材は一方向にのみ所定角度回転し、他方向に回転することがないため、遊技球が回転部材からこぼれ落ちることがない。このため、回転部材の貯留部に保持されている遊技球を確実に開口へ誘導することができ、変化に富んだ遊技を楽しむことが可能となる。
【００１１】
請求項３の遊技機では、入賞した遊技球を遊技盤の裏面へ案内する入賞装置が前記遊技盤に配設されてなる遊技機であって、前記入賞装置は、前記遊技盤上を流下する遊技球を一球保持可能な複数の貯留部と、前記遊技盤上を流下する他の遊技球に衝突され得る複数の突起部とを有し、前記他の遊技球の衝突により両方向に所定角度回転可能な回転部材と、前記回転部材の裏面に配設されており、回転中心となる回転支軸と、前記回転部材を前記遊技盤に取付けるための取付板と、前記取付板に配設されており、前記回転支軸を軸支するための通孔が形成された平歯車形状のギアと、前記回転部材に配設されており、前記ギアの歯と歯との間の溝（以下、歯溝という）に当接し、先端が前記回転部材の回転方向へ撓み得る板形状の板ばねと、前記回転中心を通る鉛直線に対して、前記取付板において対称な位置に形成された一対の構成からなり、前記貯留部に保持されている遊技球を前記遊技盤の裏面へ案内するための開口と、を備え、前記回転部材は、遊技球が前記突起部に衝突すると、前記貯留部に遊技球を保持した状態で回転し、所定の歯溝に当接していた前記板ばねの先端が前記回転部材の回転方向へ撓むことで歯の頂上部分を越えて隣接する歯溝に移動して止まることによって回転が停止するように構成されており、前記貯留部に保持されている遊技球を前記開口に誘導し得ることを技術的特徴とする。
【００１２】
請求項３の発明では、入賞装置は、遊技球を一球保持する貯留部を複数有する回転部材と、回転部材の回転の中心を通る鉛直線に対して左右対称な位置に形成された一対の開口とを備えている。
これにより、左右方向どちらに回転させても保持されている遊技球を確実に入賞装置に形成された開口へ誘導させることができる。更に、貯留部を複数設けているため、遊技球を連続的に入賞装置に形成された開口へ誘導させることが可能となる。したがって、遊技に対する興趣を高めることができる。
【００１３】
【発明の実施の形態】
以下、この発明に係る遊技機の実施形態について図を参照して説明する。なお、以下の実施形態では、この発明に係る遊技機として、パチンコ機を例に挙げて説明する。
先ず、第１実施形態のパチンコ機の主要構成について、本実施形態のパチンコ機の正面図である図１を参照して説明する。
【００１４】
図１に示すように、パチンコ機１０には、前枠１２が外枠１１に上下一対のヒンジ１４で開閉可能に備えられており、その前枠１２には、ガラス枠１６が開閉可能に取り付けられている。ガラス枠１６には、ガラス板１７が取り付けられており、ガラス枠１６の上方には、前方へ突出部１６ａが形成されている。ガラス枠１６の裏面側には、遊技盤１３が配置されており、ガラス枠１６の右側には、ガラス枠１６開閉用の鍵を差し込む鍵穴１５が設けられている。
【００１５】
ガラス枠１６の下には、前面板１８が設けられており、この前面板１８の左側上部には、賞球が導出される上皿賞球排出口１９が形成されており、この上皿賞球排出口１９の排出側には、その上皿賞球排出口１９から排出された賞球を溜めておくための上皿２０が取り付けられている。上皿２０の下方には、その上皿２０で収容しきれなくなった賞球を排出するための下皿賞球排出口２１が形成されており、この下皿賞球排出口２１の排出側には、その下皿賞球排出口２１から排出された賞球を溜めておくための下皿２２が設けられている。ここで、パチンコ機１０では、上述した前枠１２側にガラス枠１６、上皿２０および下皿２２が取り付けられており、前枠１２と一体に開閉されるように構成されている。
【００１６】
下皿２２の右方には、上皿２０から供給された遊技球を遊技盤１３へ発射する発射モータ（図示せず）を操作するための発射ハンドル２３が回転可能に取り付けられており、その発射ハンドル２３には、発射途中で発射を停止するための発射停止ボタン２４が設けられている。また、上皿２０の右方には、上皿２０に溜められた賞球を下皿２２へ抜くための上皿球抜きレバー２５がスライド可能に取り付けられている。
【００１７】
次に、第１実施形態の遊技盤の構成について、本実施形態の遊技盤の正面図である図２を参照して説明する。
遊技盤１３の略中央にはセンターケース３０が配置されている。センターケース３０には、液晶表示で特別図柄を表示する特別図柄表示器３４と、この特別図柄表示器３４の始動される回数を表示する４個のＬＥＤからなる特別図柄記憶ＬＥＤ３５とが備えられている。
【００１８】
センターケース３０の下方には、第１種くぎ４１が設けられており、この第１種くぎ４１の下部には特別図柄表示器３４を作動させるための回転入賞装置７０が設けられている。回転入賞装置７０は、特別図柄表示器３４を作動開始させる機能を備えている。
【００１９】
回転入賞装置７０の下方には、当たりの発生時に開放される扉形式の大入賞口５１を開閉させる大入賞装置５０（特別電動役物）が設けられている。大入賞口５１の内部には、特定領域（図示せず）が形成されており、大入賞口５１の両側には、一般入賞口５２Ｒ，５２Ｌがそれぞれ設けられている。一般入賞口５２Ｒの右斜め上方には、一般入賞口５４Ｒが設けられており、一般入賞口５２Ｌの左斜め上方には、一般入賞口５４Ｌが設けられている。
【００２０】
センターケース３０の左右斜め下には、一般入賞口４０，４０が設けられており、センターケース３０の左右両側には、一般入賞口５６Ｒ，５６Ｌが設けられている。また、遊技盤１３の下方には、入賞しなかった遊技球をアウト球として回収するアウト口６５が設けられている。
【００２１】
ここで、液晶表示装置（ＬＣＤ）からなる特別図柄表示器３４は、回転入賞装置７０に入賞した際に、例えば、０〜９の１０種類の図柄を３箇所の図柄表示領域に変動表示する。
【００２２】
そして、変動開始後、所定の変動固定時間が経過すると、３箇所の図柄表示領域の変動を停止し、図柄が一致、例えば、１，１，１で揃うことにより大当たりとなって大入賞口５１が開放される。
【００２３】
特別図柄表示器３４が作動中、または、大当たり状態の時に、回転入賞装置７０に入賞した場合は、最初の４個までが始動記憶となり、特別図柄記憶ＬＥＤ３５によって記憶数が表示される。そして、特別図柄が変動可能な状態になると、その始動記憶に基づいて変動が開始されるとともに、特別図柄記憶ＬＥＤ３５が１つ消灯される。
【００２４】
次に、図２を参照し第１実施形態のパチンコ機による遊技のあらましについて説明する。
〔特別図柄表示器による遊技〕
遊技球が第１種くぎ４１間を通過し、後述する回転入賞装置７０の開口（第１種始動口）７３ａ（図３参照）内へ誘導されると、特別図柄表示器３４は、各表示領域（左表示領域、中表示領域及び右表示領域）にて０〜９の図柄の変動をそれぞれ開始する。そして、予め設定された時間が経過すると、左表示領域の図柄を停止、次に、右表示領域の図柄を停止し、最後に、中表示領域の図柄を停止する。ここで、左表示領域、中表示領域及び右表示領域の図柄が異なる場合には、ハズレとなる。他方、図柄が同一のときには、大当たりとなる。
【００２５】
大当たりが発生すると、大入賞口５１を約２９．５秒開放して、遊技球の非常に入賞し易い状態を提供する。そして、該２９．５秒の経過又は開放時間内であっても遊技球が９個入賞することにより大入賞口５１が閉じられる。この大入賞口５１の開放中に、入賞球が特定領域（図示せず）を通過することにより大入賞口５１は再び開放される。なお、この大入賞口５１の開放回数は最高１６回までである。
【００２６】
そして、大入賞口５１の開放中に遊技機が特定領域を通過しなかった場合、もしくは前記最高の１６回の開放を繰り返した際には、大入賞口の開放を終了する。本実施形態では、大入賞口５１に数個の入賞があれば、入賞した遊技球の内のいずれかが特定領域を通過するように設定されている。従って、大入賞口５１が最初に開放された際に、少なくとも１球の入賞があり、かつ、大入賞口の開放中に遊技球の発射が途絶えない限り、ほぼ確実に上限の１６回まで大入賞口の開放が繰り返されるように設定されている。
【００２７】
ここで、特別図柄表示器３４にて０〜９の図柄の変動表示を行っている最中に、更に、遊技球が第１種くぎ４１間を通過し、回転入賞装置７０の開口（第１種始動口）７３ａ内へ誘導されると、この入賞個数が記憶され、特別図柄記憶ＬＥＤ３５にて順次表示される。なお、上述した遊技球が回転入賞装置７０の開口（第１種始動口）７３ａに入賞してもそれが記憶されるのは最初の４個までで、それ以上の値は保持されない。この入賞が記憶されている状態においては、特別図柄表示器３４での変動停止後、再び変動が開始される。
【００２８】
本実施形態のパチンコ機では、遊技盤上を流下する遊技球が回転入賞装置の回転部材に衝突する力を利用して回転部材を所定角度回転させ、回転部材に保持されている遊技球を開口へ誘導する。この回転入賞装置について、図３〜図５を参照して説明する。
【００２９】
先ず、第１実施形態のパチンコ機に係る遊技盤に取り付けられている回転入賞装置７０について図３を参照して説明する。
図３（Ａ）は、回転入賞装置７０の構成を示す分解図であり、図３（Ｂ）は、図３（Ａ）の回転部材７１の裏面を示す斜視図である。
【００３０】
図３（Ａ）に示すように、回転入賞装置７０の表面側には、１つの貯留部７１ａと６つの突起部７１ｂとからなる回転部材７１が位置している。貯留部７１ａは、遊技球を一球保持可能な凹形状に形成されており、突起部７１ｂは、軸方向に延びる板形状に形成されている。図３（Ｂ）に示すように、回転部材７１の裏面には、回転部材７１の回転中心に回転支軸７７が配設されており、回転支軸７７に対して貯留部７１ａの反対側の位置には、後述するギア７５の歯と歯との間の溝（歯溝）に当接し、先端が図３（Ｂ）中左右方向へ撓み得る板形状の板ばね７９が配設されている。また、図３（Ａ）に示すように、回転入賞装置７０の裏面側には、円盤形状の取付板７３が位置している。取付板７３の中央には、軸方向に延びる半円柱形状の歯を６個有する平歯車形状のギア７５が配設されており、ギア７５の軸方向中央には、回転支軸７７を軸支するための通孔７５ａが形成されている。ギア７５の左上には、遊技球が通過可能な円形状の開口７３ａ（第１種始動口）が形成されている。
【００３１】
上述した構成により、図３（Ａ）中左側（または、右側）から流下する遊技球が回転部材７１の突起部７１ｂに衝突すると、回転部材７１を反時計回り（または、時計回り）に回転させ得る力が回転部材７１に働く。この際に、ギア７５の歯溝に接している板ばね７９は、先端が図３（Ｂ）中右方向（または、左方向）へ撓むことで歯の頂上部分（歯先）を越えて左隣の歯溝（または、右隣の歯溝）に移動して止まるため、回転部材７１は反時計回り（または、時計回り）に１／６回転する。即ち、１回の衝突で６０°回転するように設定されている。
【００３２】
次に、遊技球の入賞について図４及び図５を参照して説明する。
図４（Ａ）、（Ｂ）及び（Ｃ）は、入賞する遊技球の流れを示す説明図であり、図５（Ａ）、（Ｂ）、（Ｃ）及び（Ｄ）は、入賞しない遊技球の流れを示す説明図である。
【００３３】
図４（Ａ）に示すように、回転部材７１の貯留部７１ａが第１種くぎ４１の下方に位置する状態で、遊技球１００ａが第１種くぎ４１間を通過すると、この遊技球１００ａは貯留部７１ａに保持される。
【００３４】
図４（Ｂ）に示すように、遊技球１００ａが貯留部７１ａに保持されている状態で、第１種くぎ４１間を通過しない遊技球１００ｂが取付板７３の開口７３ａ側（図中左側）から流下して回転部材７１の突起部７１ｂに衝突すると、図４（Ｃ）に示すように、回転部材７１に反時計回りに回転する力が働いて、回転部材７１を反時計回りに６０°回転させる。この際に、回転部材７１が回転する途中で貯留部７１ａは開口７３ａを通過するため、貯留部７１ａに保持されている遊技球１００ａは開口７３ａ内に進入し、遊技盤１３の裏面側に誘導される。
【００３５】
一方、上述した図４（Ａ）に示すように、遊技球１００ａが貯留部７１ａに保持されている状態において、図５（Ａ）に示すように、第１種くぎ４１間を通過しない遊技球１００ｃが取付板７３の開口７３ａの反対側（図中右側）から流下して回転部材７１の突起部７１ｂに衝突すると、図５（Ｂ）に示すように、回転部材７１に時計回りに回転する力が働いて、回転部材７１を時計回りに６０°回転させる。ここで、第１種くぎ４１間を通過しない遊技球が取付板７３の開口７３ａ側（図中左側）から流下して回転部材７１の突起部７１ｂに衝突すると、回転部材７１に反時計回りに回転する力が働き、回転部材７１を反時計回りに６０°回転させ、図４（Ａ）に示すような貯留部７１ａが第１種くぎ４１の下方に位置する状態に戻る。
【００３６】
回転部材７１を時計回りに６０°回転させた状態（図５（Ｂ）参照）から更に、図５（Ｃ）に示すように、第１種くぎ４１間を通過しない遊技球１００ｄが取付板７３の開口７３ａの反対側（図中右側）から流下して回転部材７１の突起部７１ｂに衝突すると、図５（Ｄ）に示すように、回転部材７１に時計回りに回転する力が働いて、回転部材７１を更に時計回りに６０°回転させる。この際に、貯留部７１ａは１２０°傾いているため、遊技球１００ａを保持することができず、遊技球１００ａは貯留部７１ａから排出される。
【００３７】
第１実施形態では、回転入賞装置７０は、遊技盤１３上を流下する遊技球１００ｂが回転部材７１に衝突する力を利用して回転部材７１を反時計回りに６０°回転させ、回転部材７１に保持されている遊技球１００ａを開口（第１種始動口）７３ａへ誘導する。これにより、遊技者は、回転部材７１の突起部７１ｂをねらって遊技球を発射しなければならないため、遊技球の入賞は、遊技者の技量や熟練の度合い等に左右されることとなる。このため、変化に富んだ遊技を楽しむことができる。また、従来の入賞装置と比較して、遊技球の入賞形態が異なる構造や変化に富んだ動きが従来の入賞装置を見飽きた遊技者の目に目新しく映るため、遊技者は遊技に新たな興趣を覚えることができる。
また、所定角度（６０°）回転させることで回転部材７１に保持されている遊技球１００ａを開口７３ａへ誘導し易くすることができる。
【００３８】
続いて、第１実施形態の第１改変例について、図６及び図７を参照して説明する。
第１実施形態では、遊技球が回転部材７１に衝突する力を利用して回転部材７１を両方向（時計回り及び反時計回り）に回転させた。これに対して、第１実施形態の第１改変例では、遊技球が回転部材７１に衝突する力を利用して回転部材７１を一方向にのみ回転させる。
【００３９】
先ず、第１実施形態の第１改変例のパチンコ機に係る遊技盤に取り付けられている回転入賞装置８０について図６を参照して説明する。
図６（Ａ）は、回転入賞装置８０の構成を示す分解図であり、図６（Ｂ）は、図６（Ａ）の回転部材８１の裏面を示す斜視図である。
【００４０】
図６（Ａ）に示すように、回転入賞装置８０の表面側には、１つの貯留部８１ａと８つの突起部８１ｂとからなる円盤形状の回転部材８１が位置している。貯留部８１ａは、遊技球を一球保持可能な凹形状に形成されており、突起部８１ｂは、軸方向に延びる三角柱形状に形成されている。図６（Ｂ）に示すように、回転部材８１の裏面には、回転部材８１の回転中心に回転支軸８７が配設されており、貯留部８１ａの下部には、後述するギア８５の歯溝に当接し、先端が図６（Ｂ）中左方向（表面から裏面へ向かう回転支軸８７を中心とした時計回り方向）にのみ撓み得る板形状の板ばね８９が配設されている。また、図６（Ａ）に示すように、回転入賞装置８０の裏面側には、円盤形状の取付板８３が位置している。取付板８３の中央には、軸方向に延びる三角柱形状の歯を８個有する平歯車形状のギア８５が配設されており、ギア８５の軸方向中央には、回転支軸８７を軸支するための通孔８５ａが形成されている。ギア８５の左上には、遊技球が通過可能な円形状の開口（第１種始動口）８３ａが形成されている。
【００４１】
上述した構成により、取付板８３の開口８３ａ側（図６（Ａ）中左側）から流下する遊技球が回転部材８１の突起部８１ｂに衝突すると、回転部材８１を反時計回りに回転させ得る力が回転部材８１に働く。この際に、ギア８５の歯溝に接している板ばね８９は、先端が図６（Ａ）中右方向（図６（Ｂ）中左方向）に撓むことで歯先を越えて左隣の歯溝に移動して止まるため、回転部材８１は反時計回りに１／８回転する。即ち、１回の衝突で反時計回りに４５°回転するように設定されている。
【００４２】
一方、取付板８３の開口８３ａの反対側（図６（Ａ）中右側）から流下する遊技球が回転部材８１に形成された突起部８１ｂに衝突すると、回転部材８１を時計回りに回転させようとする力が回転部材８１に働く。この際に、ギア８５の歯溝に接している板ばね８９は、先端が図６（Ａ）中右方向（図６（Ｂ）中左方向）にのみ撓み、図６（Ａ）中左方向（図６（Ｂ）中右方向）に撓まないため、板ばね８９の先端は右隣の歯溝に移動しない。即ち、回転部材８１は回転することなく、静止状態を維持するように設定されている。
【００４３】
次に、遊技球の入賞について図７を参照して説明する。
図７（Ａ）、（Ｂ）及び（Ｃ）は、入賞する遊技球の流れを示す説明図であり、図７（Ｄ）は、入賞しない遊技球の流れを示す説明図である。
【００４４】
図７（Ａ）に示すように、回転部材８１の貯留部８１ａが第１種くぎ４１の下方に位置する状態で、遊技球１１０ａが第１種くぎ４１間を通過すると、この遊技球１１０ａは貯留部８１ａに保持される。
【００４５】
図７（Ｂ）に示すように、遊技球１１０ａが貯留部８１ａに保持されている状態で、第１種くぎ４１間を通過しない遊技球１１０ｂが取付板８３の開口８３ａ側（図中左側）から流下して回転部材８１の突起部８１ｂに衝突すると、図７（Ｃ）に示すように、遊技球１１０ｂの衝突により、回転部材８１を反時計回りに４５°回転させる。この際に、貯留部８１ａは開口８３ａの位置にあるため、貯留部８１ａに保持されている遊技球１１０ａは、開口８３ａ内に進入し、遊技盤１３の裏面側に誘導される。
【００４６】
一方、上述した図７（Ａ）に示すような遊技球１１０ａが貯留部７１ａに保持されている状態において、図７（Ｄ）に示すように、第１種くぎ４１間を通過しない遊技球１１０ｃが取付板８３の開口８３ａの反対側（図中右側）から流下して回転部材８１の突起部８１ｂに衝突すると、ギア８５の歯溝に接している板ばね８９はこの先端が図７（Ｄ）中左方向に撓まないため、右隣の歯溝に移動することがなく、回転部材８１は時計回りに回転しない。このため、回転部材８１は遊技球１１０ａを保持したまま静止状態を維持する。
【００４７】
第１実施形態の第１改変例では、回転入賞装置８０は、遊技盤１３上を流下する遊技球１１０ｂが回転部材８１の突起部８１ｂに衝突する力を利用して回転部材８１を反時計回りにのみ４５°回転させ、回転部材８１に保持されている遊技球１１０ａを開口（第１種始動口）８３ａへ誘導する。これにより、回転部材８１は反時計回りにのみ４５°回転し、時計回りに回転することがないため、遊技球１１０ａが回転部材８１からこぼれ落ちることがない。このため、回転部材８１の貯留部８１ａに保持されている遊技球１１０ａを確実に開口（第１種始動口）８３ａへ誘導することができ、変化に富んだ遊技を楽しむことが可能となる。
【００４８】
続いて、第１実施形態の第２改変例について、第１実施形態の第２改変例の回転入賞装置を示す図８を参照して説明する。
図８（Ａ）は、回転入賞装置を示す正面図であり、図８（Ｂ）は、図８（Ａ）の回転部材９１の裏面を示す斜視図である。
【００４９】
第１実施形態では、遊技球を一球保持可能な貯留部７１ａを回転部材７１に１箇所形成し、この貯留部７１ａに保持された遊技球を開口７３ａへ誘導した。これに対して、第１実施形態の第２改変例では、遊技球を一球保持可能な貯留部を回転部材に複数形成し、この貯留部に保持された遊技球を開口へ誘導する。
【００５０】
図８（Ａ）に示すように、回転入賞装置の表面側には、６つの貯留部９１ａと６つの突起部９１ｂとからなる回転部材９１が位置している。貯留部９１ａは、遊技球を一球保持可能な凹形状に形成されており、突起部９１ｂは、軸方向に延びる板形状に形成されている。図８（Ｂ）に示すように、回転部材９１の裏面には、回転部材９１の回転中心に回転支軸９７が配設されており、図中左側の突起部９１ｂの位置には、後述するギア（図示せず）の歯溝に当接し、先端が図８（Ｂ）中上下方向へ撓み得る板形状の板ばね９９が配設されている。また、図８（Ａ）に示すように、回転入賞装置７０の裏面側には、円盤形状の取付板９３が位置している。取付板９３の中央には、第１実施形態と同じ、軸方向に延びる半円柱形状の歯を６個有する平歯車形状のギアが配設されており、ギアの軸方向中央には、回転支軸９７を軸支するための通孔（図示せず）が形成されている。ギアの左上及び右上で回転支軸９７を通る鉛直線に対して左右対称な位置には、一対の開口（第１種始動口）９３ａが遊技球を通過させ得る円形状に形成されている。
【００５１】
上述した構成により、図８（Ａ）中左側（または、右側）から流下する遊技球が回転部材９１の突起部９１ｂに衝突すると、回転部材９１を反時計回り（または、時計回り）に回転させ得る力が回転部材９１に働く。ギアの歯溝に接している板ばね９９は、先端が図８（Ａ）中右方向（または、左方向）へ撓むことで歯先を越えて左隣の歯溝（または、右隣の歯溝）に移動して止まるため、回転部材９１は反時計回り（または、時計回り）に１／６回転する。即ち、１回の衝突で６０°回転するように設定されている。
【００５２】
第１実施形態の第２改変例では、回転入賞装置は、遊技球を一球保持する貯留部９１ａを６箇所有する回転部材９１と、回転部材９１の回転の中心を通る鉛直線に対して左右対称な位置に形成された一対の開口（第１種始動口）９３ａとを備えている。これにより、左右方向どちらに回転させても保持されている遊技球を開口（第１種始動口）９３ａへ誘導させることができる。更に、貯留部９１ａを複数設けているため、遊技球を連続的に開口（第１種始動口）９３ａへ誘導させることが可能となる。したがって、遊技に対する興趣を高めることができる。
【図面の簡単な説明】
【図１】本発明の第１実施形態に係るパチンコ機を示す正面図である。
【図２】本発明の第１実施形態に係るパチンコ機の遊技領域を示す正面図である。
【図３】（Ａ）は、第１実施形態に係る回転入賞装置の構成を示す分解図であり、（Ｂ）は、（Ａ）の回転部材の裏面を示す斜視図である。
【図４】（Ａ）、（Ｂ）及び（Ｃ）は、入賞する遊技球の流れを示す説明図である。
【図５】（Ａ）、（Ｂ）、（Ｃ）及び（Ｄ）は、入賞しない遊技球の流れを示す説明図である。
【図６】（Ａ）は、第１実施形態の第１改変例に係る回転入賞装置の構成を示す分解図であり、（Ｂ）は、（Ａ）の回転部材の裏面を示す斜視図である。
【図７】（Ａ）、（Ｂ）及び（Ｃ）は、入賞する遊技球の流れを示す説明図であり、（Ｄ）は、入賞しない遊技球の流れを示す説明図である。
【図８】（Ａ）は、回転入賞装置を示す正面図であり、（Ｂ）は、（Ａ）の回転部材の裏面を示す斜視図である。
【符号の説明】
１０    パチンコ機（遊技機）
１３    遊技盤
７０    回転入賞装置（入賞装置）
７１    回転部材
７１ａ  貯留部
７１ｂ  突起部
７３    取付板
７３ａ  開口（第１種始動口）
７５    ギア
７７    回転支軸
７９    板ばね
８０    回転入賞装置（入賞装置）
８１    回転部材
８１ａ  貯留部
８１ｂ  突起部
８３    取付板
８３ａ  開口（第１種始動口）
８５    ギア
８７    回転支軸
８９    板ばね
９１    回転部材
９１ａ  貯留部
９１ｂ  突起部
９３    取付板
９３ａ  開口（第１種始動口）
９７    回転支軸
９９    板ばね
【図１】
0003811785.tif 000002
【図２】
0003811785.tif 000003
【図３】
0003811785.tif 000004
【図４】
0003811785.tif 000005
【図５】
0003811785.tif 000006
【図６】
0003811785.tif 000007
【図７】
0003811785.tif 000008
【図８】
0003811785.tif 000009